(57)【特許請求の範囲】
【請求項１】
映像信号があらわす画像を再生表示する画像再生手段、及び、該画像再生手段において再生表示された画像を拡大視可能とする光学系を内蔵した画像表示部と、
使用者の頭部に着脱自在に装着されて使用される支持部材と、
該支持部材から伸びる支持アーム部材，該支持アーム部材に上記画像表示部を回動可能に取り付ける取付部材、及び、該取付部材によって上記支持アーム部材に回動可能に取り付けられた上記画像表示部を、上記支持部材が使用者の頭部に装着されたとき上方となる方向に回動させる回動手段を含んで構成され、上記支持部材が使用者の頭部に装着されたとき、上記画像表示部に、上記光学系が使用者の眼前に配置されることになる第１の位置、及び、該画像表示部が全体的に上記第１の位置から上方に回動変位せしめられて使用者の眼前から除去されることになる第２の位置を選択的にとらせる連結機構と、
係止部材と該係止部材に連結された操作部材とを含んで構成され、上記連結機構に付勢手段を伴って設けられて、該連結機構に対して上記付勢手段の付勢力に沿う方向及び該付勢力に抗する方向への移動が可能とされたもとで、上記画像表示部が上記第１の位置をとるとき、上記付勢手段の付勢力により上記係止部材を上記画像表示部に係合させて該画像表示部の回動変位を規制し、上記係止部材を上記画像表示部に係合させた状態で上記操作部材についての上記付勢手段の付勢力に抗する方向への押圧操作を受けるとき、上記係止部材の上記画像表示部との係合を解除して、上記画像表示部の上記第１の位置から上方ヘの回動変位を可能とする回動規制手段と、
を備えた頭部搭載型画像表示装置。
【請求項２】
上記画像再生手段が対をなす左画像表示部と右画像表示部とを含んで形成されるとともに、上記光学系が上記左画像表示部に対応して配された左レンズ手段と上記右画像表示部に対応して配された右レンズ手段とを含んで形成され、上記光学系が使用者の眼前に配置されるとき、上記左レンズ手段及び上記右レンズ手段が夫々上記使用者の左眼及び右眼に対応せしめられることを特徴とする請求項１記載の頭部搭載型画像表示装置。
【請求項３】
上記連結機構に含まれる上記回動手段が、上記画像表示部を付勢するばね部材とされることを特徴とする請求項１または２記載の頭部搭載型画像表示装置。
【請求項４】
上記連結機構に含まれる上記回動手段が、上記画像表示部を回動させる動作状態を選択的にとるモータとされることを特徴とする請求項１または２記載の頭部搭載型画像表示装置。
【請求項５】
上記連結機構を構成する上記支持アーム部材が左右一対設けられるとともに上記連結機構を構成する上記取付部材が一対備えられ、上記画像表示部における左端部及び右端部が上記一対の取付部材によって上記左右一対の支持アーム部材に夫々取り付けられることを特徴とする請求項１記載の頭部搭載型画像表示装置。
【請求項６】
上記支持部材が、相互係合機構が夫々設けられた一端部及び他端部を有し、使用者の頭部を巡る状態をもって該頭部に装着されるベルト状部材を含んで形成されることを特徴とする請求項１記載の頭部搭載型画像表示装置。
【請求項７】
上記相互係合機構が、上記ベルト状部材についての長さ調整手段を構成することを特徴とする請求項６記載の頭部搭載型画像表示装置。
【請求項８】
上記支持部材が、両端が上記ベルト状部材に連結され、該ベルト状部材が使用者の頭部を巡る状態をもって該頭部に装着されるとき上記頭部上に配されることになる補助ベルト状部材を備えることを特徴とする請求項６または７記載の頭部搭載型画像表示装置。
【請求項９】
上記補助ベルト状部材が、該補助ベルト状部材についての長さ調整手段が設けられたものとされることを特徴とする請求項８記載の頭部搭載型画像表示装置。
【発明の詳細な説明】
【０００１】
【発明の属する技術分野】
本発明は、使用者の頭部に搭載されて使用され、映像信号があらわす画像を再生表示する画像再生手段とそれにより再生表示された画像を拡大視可能とする光学系とを内蔵し、使用者の眼前に配される画像表示部を備えた、頭部搭載型画像表示装置に関する。
【０００２】
【従来の技術】
小型・軽量化が図られた携帯型画像表示装置が種々提案されているが、斯かる携帯型画像表示装置の一つとして、使用者の頭部に搭載されて使用される頭部搭載型画像表示装置の開発も進められている。頭部搭載型画像表示装置にあっては、例えば、夫々が極めて小型で軽量なものとされたもとで映像信号があらわす画像を再生表示する左画像再生パネル及び右画像再生パネルから成る画像再生手段、及び、左画像表示パネル及び右画像表示パネルに夫々対応するものとされ、左画像再生パネル及び左画像再生パネルにより再生表示される画像についての拡大視を可能とする左レンズ部及び右レンズ部から成る光学系が一つの匣体内に収められて構成される画像表示部が備えられる。そして、その画像表示部の全体が使用者の眼前に配されて、使用者が、左レンズ部及び右レンズ部を通じて、左画像再生パネル及び右画像再生パネルにより再生表示される画像を拡大される状態をもって見る状態がとられる。
【０００３】
画像表示部の全体が使用者の眼前に配されるにあたっては、画像表示部が、例えば、ベルト状部材により形成される支持部材に連結されて支持され、画像表示部を支持した支持部材が、使用者の頭部にそれを巡る状態とされて装着される。それにより、支持部材が使用者の頭部に装着されるとき、支持部材によって支持された画像表示部が、それに収められた左レンズ部及び右レンズ部を使用者の左眼及び右眼に夫々近接させる状態をもって、使用者の眼前に位置せしめられる。
【０００４】
このような頭部搭載型画像表示装置は、極めて小型な装置でありながら、使用者にとっては、恰も、例えば、数メートル程度離隔した大型画像表示面に表示される画像を見ているかのような感覚を得ることができるものとされ、しかも、使用者が、外部からの種々な視覚上の干渉を受けることなく、画像を見ることに専念することができるものとされる。さらに、頭部搭載型画像表示装置によれば、使用者は、著しく立体感に富んだ画像を容易に楽しむこともできる。
【０００５】
【発明が解決しようとする課題】
上述の如くの頭部搭載型画像表示装置が実用に供されるにあたっては、支持部材を頭部に装着し、支持部材により支持された画像表示部を眼前に位置させた使用者は、その視界が画像表示部に収められた左レンズ部及び右レンズ部を通じて見る表示画像に限られることになり、画像表示部の外部を見ることはできない。即ち、頭部搭載型画像表示装置は、その使用者に、一旦、画像表示部を支持した支持部材を頭部に装着すると、それを頭部から外さなければ外部を見ることができないという不便をきたすことになる。
【０００６】
また、使用者が画像表示部を支持した支持部材を頭部に装着するにあたっては、身体的条件を様々とする多数の使用者の各々が、画像表示部を、眼前の適正な位置に配すことができ、かつ、別段の負担を負うことなく、その適正な位置を長時間に亙って維持できるものとなすことは、通常では困難とされてしまう。
【０００７】
斯かる点に鑑み、本発明は、使用者の頭部に搭載されて用いられるもとで、その使用者に映像信号に応じた再生画像を拡大画像として提供するにあたり、使用者の頭部から外されることなく、使用者に外部を見ることができる状態をとらせることができ、しかも、使用者に別段の負担をかけることなく、使用者の頭部に適正に搭載された状態が長時間に亙って維持され得ることになる、頭部搭載型画像表示装置を提供することを目的とする。
【０００８】
【課題を解決するための手段】
上述の目的を達成すべく、本発明に係る頭部搭載型画像表示装置は、映像信号があらわす画像を再生表示する画像再生手段、及び、画像再生手段において再生表示された画像を拡大視可能とする光学系を内蔵した画像表示部と、使用者の頭部に着脱自在に装着されて使用される支持部材と、支持部材から伸びる支持アーム部材，支持アーム部材に画像表示部を回動可能に取り付ける取付部材、及び、取付部材によって支持アーム部材に回動可能に取り付けられた画像表示部を、支持部材が使用者の頭部に装着されたとき上方となる方向に回動させる回動手段を含んで構成され、支持部材が使用者の頭部に装着されたとき、画像表示部に、光学系が使用者の眼前に配置されることになる第１の位置、及び、画像表示部が全体的に第１の位置から上方に回動変位せしめられて使用者の眼前から除去されることになる第２の位置を選択的にとらせる連結機構と、係止部材とそれに連結された操作部材とを含んで構成され、連結機構に付勢手段を伴って設けられて、連結機構に対して付勢手段の付勢力に沿う方向及び付勢力に抗する方向への移動が可能とされたもとで、画像表示部が第１の位置をとるとき、付勢手段の付勢力により係止部材を画像表示部に係合させて画像表示部の回動変位を規制し、係止部材を画像表示部に係合させた状態で操作部材についての付勢手段の付勢力に抗する方向への押圧操作を受けるとき、係止部材の画像表示部との係合を解除して、画像表示部の第１の位置から上方ヘの回動変位を可能とする回動規制手段とを備えて構成される。
【０００９】
画像再生手段は、例えば、対をなす左画像表示部と右画像表示部とを含んで形成される。また、光学系は、例えば、左画像表示部に対応して配された左レンズ手段と右画像表示部に対応して配された右レンズ手段とを含んで形成され、光学系が使用者の眼前に配置されるとき、左レンズ手段及び右レンズ手段が夫々使用者の左眼及び右眼に対応せしめられる。
【００１０】
また、連結機構により画像表示部が回動変位可能に連結される支持部材は、例えば、相互係合機構が夫々設けられた一端部及び他端部を有し、使用者の頭部を巡る状態をもって該頭部に装着されるベルト状部材を含んで形成され、相互係合機構は、使用者の頭部を巡る状態をもってその頭部に装着されるベルト状部材についての長さ調整手段を構成する。
【００１１】
上述の如くに構成される本発明に係る頭部搭載型画像表示装置にあっては、支持アーム部材，取付部材及び回動手段を含んで構成される連結機構が、画像表示部が連結された支持部材が使用者の頭部に装着されたとき、画像表示部に、光学系が使用者の眼前に配置されることになる第１の位置、及び、画像表示部が全体的に第１の位置から上方に回動変位せしめられて使用者の眼前から除去されることになる第２の位置を選択的にとらせるものとされる。それにより、画像表示部が連結された支持部材を頭部に装着した使用者は、頭部から支持部材を外すことなく、第１の位置をとる画像表示部を回動変位させて第２の位置をとるものとなすことにより、容易に外部を見ることができることになる。しかも、係止部材とそれに連結された操作部材とを含んで構成され、連結機構に付勢手段を伴って設けられて、連結機構に対して付勢手段の付勢力に沿う方向及び付勢力に抗する方向への移動が可能とされる回動規制手段が備えられ、それにより、連結機構によって第１の位置をとるものとされた画像表示部は、付勢手段の付勢力によってそれに係合する係止部材によって回動変位が規制されて、第１の位置を確実に維持するものとされるので、使用者にとって画像表示部により再生表示される画像が見難いものとなる事態が回避される。さらに、画像表示部が第１の位置から第２の位置へと回動変位する状態が、操作部材についての付勢手段の付勢力に抗する方向への押圧操作がなされて、係止部材の画像表示部との係合が解除されることにより得られるので、画像表示部の第１の位置から第２の位置への回動変位が使用者の意図に反したものとされる事態が回避されることになる。
【００１２】
また、支持部材が、例えば、使用者の頭部を巡る状態をもってその頭部に装着されるベルト状部材を含んで形成され、そのベルト状部材が、一端部及び他端部に長さ調整手段を構成する相互係合機構が夫々設けられたものとされる。それにより、本発明に係る頭部搭載型画像表示装置は、画像表示部が連結された支持部材が使用者の頭部に装着されるにあたり、身体的条件を様々とする多数の使用者の各々に対して、別段の負担をかけることなく、各使用者の頭部に適正に搭載された状態が長時間に亙って維持され得るものとなる。
【００１３】
【発明の実施の形態】
図１は、本発明に係る頭部搭載型画像表示装置の一例を示す。
【００１４】
図１に示される例においては、ベルト状部材１１と両端がベルト状部材１１に連結された補助ベルト状部材１２とを含んで構成された支持部材１３に、画像表示部１４の左端部及び右端部が、夫々、連結機構１５Ｌ及び１５Ｒにより、支持部材１３に対して回動可能な状態をもって連結されている。それにより、画像表示部１４は、その全体が、連結機構１５Ｌ及び１５Ｒによって支持部材１３に回動可能に連結されている。支持部材１３は、装置の使用者の頭部に装着されて使用されるものとされており、支持部材１３が使用者の頭部に装着されるにあたっては、ベルト状部材１１が使用者の頭部を巡る状態をもってその頭部に装着され、補助ベルト状部材１２が使用者の頭部上に配されるようにされる。
【００１５】
画像表示部１４は、映像信号があらわす画像を再生表示する画像再生手段１６を構成する、対をなす左画像表示部１７Ｌと右画像表示部１７Ｒと、画像再生手段１６において再生表示された画像を拡大視可能とする光学系１９を構成する、左レンズ手段１８Ｌと右レンズ手段１８Ｒとを内蔵している。左レンズ手段１８Ｌ及び右レンズ手段１８Ｒは、左画像表示部１７Ｌ及び右画像表示部１７Ｒに夫々対応するものとされて配されている。
【００１６】
左画像表示部１７Ｌ及び右画像表示部１７Ｒの夫々は、例えば、極めて小型な画像表示液晶パネルを備えたものとされ、また、左レンズ手段１８Ｌ及び右レンズ手段１８Ｒの夫々は、複数のレンズ単体の組合せによって形成される。
【００１７】
連結機構１５Ｌは、取付部材２０Ｌにより一端部が支持部材１３に取り付けられて支持部材１３から伸びる支持アーム部材２１Ｌ，支持アーム部材２１Ｌに画像表示部１４の左端部を回動可能に取り付ける取付部材２２Ｌ、及び、画像表示部１４の左端部と連結機構１５Ｌとの連結状態及び画像表示部１４の右端部と連結機構１５Ｒとの連結状態をあらわす図２に示される如くの、取付部材２２Ｌによって支持アーム部材２１Ｌに回動可能に取り付けられた画像表示部１４の左端部を、所定の方向に付勢するトグルばね部材２９Ｌを含んで構成されている。同様に、連結機構１５Ｒは、取付部材２０Ｒにより一端部が支持部材１３に取り付けられて支持部材１３から伸びる支持アーム部材２１Ｒ，支持アーム部材２１Ｒに画像表示部１４の右端部を回動可能に取り付ける取付部材２２Ｒ、及び、図２に示される如くの、取付部材２２Ｒによって支持アーム部材２１Ｒに回動可能に取り付けられた画像表示部１４の右端部を、所定の方向に付勢するトグルばね部材２９Ｒを含んで構成されている。
【００１８】
さらに、図１に示される例においては、図１及び図２に示される如く、連結機構１５Ｌ及び１５Ｒに対する画像表示部１４の回動変位を規制する回動規制手段２３が設けられている。この回動規制手段２３は、連結機構１５Ｒを構成する支持アーム部材２１Ｒに、画像表示部１４を、トグルばね部材２９Ｌ及び２９Ｒによる付勢力に抗して係止する状態と、画像表示部１４を支持アーム部材２１Ｒに対する係止から解放する状態とを選択的にとる係止部材２４、及び、係止部材２４に連結されて成る、係止部材２４を手動制御するための操作部材２５を含んで構成されている。
【００１９】
係止部材２４と操作部材２５とは一体的に形成されていて、支持アーム部材２１Ｒをその他端部において貫通し、支持アーム部材２１Ｒに対する貫通方向に移動可能とされている。そして、係止部材２４は、コ字状に屈曲したものとされていて支持アーム部材２１Ｒの他端部から画像表示部１４の右端部側に伸び、その先端部分が画像表示部１４の右端部に設けられた透孔１４Ｈに係合する状態を選択的にとる。係止部材２４の先端部分が透孔１４Ｈに係合する状態とされるとき、それによって、画像表示部１４が、トグルばね部材２９Ｌ及び２９Ｒによる付勢力に抗して、支持アーム部材２１Ｒに係止されることになり、また、係止部材２４の先端部分が透孔１４Ｈに係合しない状態とされるとき、画像表示部１４が、支持アーム部材２１Ｒに対する係止から解放されて、トグルばね部材２９Ｌ及び２９Ｒによる付勢力に応じた回動変位を行う。
【００２０】
また、操作部材２５は、支持アーム部材２１Ｒの他端部から、画像表示部１４の右端部に設けられた切欠き１４Ｃを通じて、外方に突出するものとされており、この操作部材２５と支持アーム部材２１Ｒの他端部との間には、コイルばね部材２６が配されている。コイルばね部材２６は、一体的に形成された操作部材２５及び係止部材２４を支持アーム部材２１Ｒに対して外方に付勢しており、それにより、係止部材２４は、その先端部分が画像表示部１４の右端部に設けられた透孔１４Ｈに係合する方向に付勢されていることになる。
【００２１】
ベルト状部材１１と補助ベルト状部材１２とを含んで成る支持部材１３にあっては、補助ベルト状部材１２の両端のベルト状部材１１との連結が、支持アーム部材２１Ｌの一端部を支持部材１３に取り付ける取付部材２０Ｌ、及び、支持アーム部材２１Ｒの一端部を支持部材１３に取り付ける取付部材２０Ｒによって夫々なされている。そして、補助ベルト状部材１２の中央部には、長さ調整手段１２Ａが設けられている。
【００２２】
また、ベルト状部材１１の一端部１１Ｌ及び他端部１１Ｒには、相互係合機構２７を構成する被係合部材２７Ｌ及び可動係合部材２７Ｒが夫々設けられている。被係合部材２７Ｌは、ベルト状部材１１の一端部１１Ｌに、例えば、ゴム部材等の弾性材料によって形成された伸縮部材２８を介して連結されており、また、可動係合部材２７Ｒは、ベルト状部材１１の他端部１１Ｒに回動可能とされて連結されている。
【００２３】
このような被係合部材２７Ｌと可動係合部材２７Ｒとにより構成される相互係合機構２７にあっては、図３のＡ，Ｂ及びＣに示される如く、被係合部材２７Ｌに、その外面側において複数の平行溝部３０が設けられており、また、可動係合部材２７Ｒには、ベルト状部材１１の他端部１１Ｒに対して回動する、内側に向って湾曲する回動湾曲板部３１と、回動湾曲板部３１にそれに対して回動可能に連結され、被係合部材２７Ｌに設けられた複数の平行溝部３０のいずれかに係合する先端部を有した回動係合片部３２とが設けられている。
【００２４】
そして、図３のＡに示される如くに、被係合部材２７Ｌの外面側に設けられた複数の平行溝部３０のいずれかに、可動係合部材２７Ｒに設けられた回動係合片部３２の先端部が係合せしめられたもとで、図３のＢに示される如くに、可動係合部材２７Ｒに設けられた回動湾曲板部３１及び回動係合片部３２の両者が、被係合部材２７Ｌに向けて回動せしめられ、それにより、可動係合部材２７Ｒの全体が被係合部材２７Ｌに近接せしめられて、図３のＣに示される如くに、被係合部材２７Ｌに対して可動係合部材２７Ｒの全体が重ねられる状態がとられることにより、被係合部材２７Ｌと可動係合部材２７Ｒとが相互係合状態におかれる。このようにして、被係合部材２７Ｌと可動係合部材２７Ｒとが相互係合状態におかれるとき、ベルト状部材１１の一端部１１Ｌと他端部１１Ｒとが、被係合部材２７Ｌと可動係合部材２７Ｒとを介して、相互連結されることになり、その結果、ベルト状部材１１は環状体を形成する。
【００２５】
その際、可動係合部材２７Ｒに設けられた回動係合片部３２の先端部が係合する、被係合部材２７Ｌの外面側に設けられた平行溝部３０が選択されることにより、環状体を形成するベルト状部材１１の長さが調整される。即ち、被係合部材２７Ｌと可動係合部材２７Ｒとにより構成される相互係合機構２７は、ベルト状部材１１についての長さ調整手段を形成しているのである。
【００２６】
また、相互連結状態におかれた被係合部材２７Ｌ及び可動係合部材２７Ｒに対して、可動係合部材２７Ｒの全体が被係合部材２７Ｌから離隔するように回動せしめられる操作が行われることにより、被係合部材２７Ｌと可動係合部材２７Ｒとの相互係合状態が解かれる。それによって、ベルト状部材１１の一端部１１Ｌと他端部１１Ｒとが、相互連結状態から解放されることになる。
【００２７】
このようなもとで、図１に示される例が実際に使用されるにあたっては、例えば、先ず、支持部材１３に連結機構１５Ｌ及び１５Ｒによって回動可能に連結された画像表示部１４が、図１及び図２に示される如くに、回動規制手段２３を構成する係止部材２４の先端部分が画像表示部１４の右端部に設けられた透孔１４Ｈに係合した状態におかれることにより、トグルばね部材２９Ｌ及び２９Ｒによる付勢力に抗して、連結機構１５Ｒを構成する支持アーム部材２１Ｒに係止された状態とされる。そして、斯かる画像表示部１４を連結機構１５Ｌ及び１５Ｒを介して支持した支持部材１３が、画像表示部１４を使用者の顔面側に位置させるようにして、使用者の頭部に装着され、それにより、図１に示される例の全体が使用者の頭部に搭載される。
【００２８】
支持部材１３が使用者の頭部に装着される際には、図３のＡ，Ｂ及びＣが参照されて上述された如くにして、ベルト状部材１１の一端部１１Ｌ及び他端部１１Ｒに夫々設けられた、相互係合機構２７を構成する被係合部材２７Ｌと可動係合部材２７Ｒとが相互係合状態におかれるものとされ、それにより、ベルト状部材１１が環状体を形成するものとされる。そして、環状体を成すベルト状部材１１が、使用者の頭部にその頭部を巡るものとされて装着され、また、それに伴って、補助ベルト状部材１２が使用者の頭部上に配される。
【００２９】
その際、相互係合機構２７によって形成される長さ調整手段によるベルト状部材１１の長さ調整が行われ、さらには、補助ベルト状部材１２に設けられた長さ調整手段１２Ａによる補助ベルト状部材１２についての長さ調整が行われて、環状体を成すベルト状部材１１及び補助ベルト状部材１２が、使用者の頭部に適合するものとされる。それにより、図１に示される例は、身体的条件を様々とする多数の使用者の各々に対して、別段の負担をかけることなく、使用者の頭部に適正に搭載された状態がとられるとともに、その状態が長時間に亙って維持され得るものとされることになる。
【００３０】
また、相互係合状態におかれた相互係合機構２７を構成する被係合部材２７Ｌ及び可動係合部材２７Ｒにあっては、被係合部材２７Ｌをベルト状部材１１の一端部１１Ｌに連結する伸縮部材２８の弾性力（引張力）の作用、さらには、可動係合部材２７Ｒに備えられた、内側に向って湾曲する回動湾曲板部３１の作用により、ベルト状部材１１が使用者の頭部にその頭部を巡るものとされて装着されもとにおいて、相互係合状態が安定に維持される。
【００３１】
そして、このようにして、連結機構１５Ｒを構成する支持アーム部材２１Ｒに係止された画像表示部１４を、連結機構１５Ｌ及び１５Ｒを介して支持した支持部材１３が、画像表示部１４を使用者の顔面側に位置させるようにして、使用者の頭部に装着されると、画像表示部１４が、それに内蔵された光学系１９を形成する左レンズ手段１８Ｌ及び右レンズ手段１８Ｒが使用者の左眼及び右眼に夫々対応せしめられるもとで、使用者の眼前に近接配置される。そして、必要に応じて、使用者の左眼及び右眼に夫々近接せしめられた左レンズ手段１８Ｌ及び右レンズ手段１８Ｒの位置が、画像表示部１４に備えられた光学系調整機構（図示は省略されている）によって調整された後、使用者が、左レンズ手段１８Ｌ及び右レンズ手段１８Ｒを通じて、画像表示部１４に内蔵された、画像再生手段１６を構成する左画像表示部１７Ｌ及び右画像表示部１７Ｒにより再生表示される画像を、拡大画像として見ることができる状態がとられる。
【００３２】
左画像表示部１７Ｌ及び右画像表示部１７Ｒにより再生表示される画像は、外部から画像表示部１４に供給される映像信号に基づくものとされ、その映像信号によっては、使用者が、立体画像として捉えることができるものとされる。
【００３３】
斯かるもとで、回動規制手段２３を構成する操作部材２５が、コイルばね部材２６の付勢力に抗して、画像表示部１４の右端部の内側に向かって押し込まれると、即ち、押圧操作されると、操作部材２５と一体的に形成された係止部材２４が、操作部材２５の移動に伴って、画像表示部１４の右端部の内側へと移動せしめられる。それにより、係止部材２４の先端部分が、図１及び図２に示される如くの画像表示部１４の右端部に設けられた透孔１４Ｈに係合した状態から、透孔１４Ｈとの係合を解除する状態に移行せしめられる。
【００３４】
その結果、画像表示部１４が、トグルばね部材２９Ｌ及び２９Ｒによる付勢力に抗して連結機構１５Ｒを構成する支持アーム部材２１Ｒに係止された状態から解放され、トグルばね部材２９Ｌ及び２９Ｒによる付勢力によって自動的に、図４において一点鎖線により示される、それに内蔵された左レンズ手段１８Ｌ及び右レンズ手段１８Ｒにより形成される光学系１９が使用者の眼前に近接配置されることになる位置から、図４において実線により示される如くに、連結機構１５Ｌ及び１５Ｒを夫々構成する支持アーム部材２１Ｌ及び２１Ｒに対し全体的に上方に回動変位せしめられて使用者の眼前から除去されることになる位置をとるものとされる。
【００３５】
トグルばね部材２９Ｌ及び２９Ｒによる付勢力によって上方に回動変位せしめられる画像表示部１４は、図示が省略された所定のストッパ部によって回動変位が規制され、トグルばね部材２９Ｌ及び２９Ｒによる付勢力により、使用者の眼前から除去された位置に安定に保持される。
【００３６】
このようにして、画像表示部１４が、それに内蔵された左レンズ手段１８Ｌ及び右レンズ手段１８Ｒにより形成される光学系１９が使用者の眼前に近接配置されることになる位置から、上方に回動変位せしめられて使用者の眼前から除去されることになる位置をとるもとにおいては、使用者は、画像表示部１４の外部を見ることができる状態におかれることになる。従って、使用者は、眼前に近接配置された光学系１９を形成する左レンズ手段１８Ｌ及び右レンズ手段１８Ｒを通じて、画像表示部１４に内蔵された左画像表示部１７Ｌ及び右画像表示部１７Ｒにより再生表示される画像を、拡大画像として見ることができる状態にあるとき、回動規制手段２３を構成する操作部材２５を押し込むだけの極めて簡単な操作を行うことによって、容易に外部を見ることができる状態をとれることになる。
【００３７】
また、使用者は、再度、画像表示部１４に内蔵された左画像表示部１７Ｌ及び右画像表示部１７Ｒにより再生表示される画像を見ることができる状態に戻ることを望む場合には、操作部材２５を押し込むとともに、使用者の眼前から除去されることになる位置をとる画像表示部１４を、手動によりその位置から下方に回動変位させ、それに内蔵された左レンズ手段１８Ｌ及び右レンズ手段１８Ｒにより形成される光学系１９が眼前に近接配置されることになる位置をとらせて、操作部材２５を押し込む操作を止めることにより、目的を果たすことができる。斯かる際には、再び、回動規制手段２３を構成する係止部材２４の先端部分が画像表示部１４の右端部に設けられた透孔１４Ｈに係合した状態におかれることになり、それによって、画像表示部１４が、トグルばね部材２９Ｌ及び２９Ｒによる付勢力に抗して連結機構１５Ｒを構成する支持アーム部材２１Ｒに係止された状態とされ、内蔵された左レンズ手段１８Ｌ及び右レンズ手段１８Ｒにより形成される光学系１９が使用者の眼前に近接配置されることになる位置に維持される。
【００３８】
さらに、使用者は、図１に示される例を頭部から外すことを望む場合には、頭部に装着されたベルト状部材１１に設けられて相互係合状態におかれた被係合部材２７Ｌ及び可動係合部材２７Ｒに対して、可動係合部材２７Ｒの全体を被係合部材２７Ｌから離隔させるべく回動させる操作を行うことにより、極めて容易に、図１に示される例の全体を頭部から外すことができる。
【００３９】
なお、上述の例においては、画像表示部１４の右端部側に回動規制手段２３が設けられているが、回動規制手段２３に代えて、あるいは、回動規制手段２３に加えて、回動規制手段２３と同様な回動規制手段が、画像表示部１４の左端部側に設けられるようにされてもよい。また、上述の例においては、回動規制手段２３を形成する操作部材２５がコイルばね部材２６によって付勢されるようになされているが、操作部材２５についての付勢が、コイルばね部材２６に代えて、板バネ部材あるいは弾性材で成るベルト部材等によりなされてもよい。さらに、上述の例においては、連結機構１５Ｌ及び１５Ｒを夫々構成する支持アーム部材２１Ｌ及び２１Ｒに対する画像表示部１４の回動変位が、トグルばね部材２９Ｌ及び２９Ｒの弾性力が利用されて行われるようにされているが、本発明に係る頭部搭載型画像表示装置にあっては、連結機構１５Ｌ及び１５Ｒを夫々構成する支持アーム部材２１Ｌ及び２１Ｒに対する画像表示部１４の回動変位が、選択的に作動せしめられるモータ等の駆動手段によって行われるようになされてもよい。
【００４０】
【実施例】
図１に示される例において、画像表示部１４に画像再生手段１６を構成するものとして内蔵される左画像表示部１７Ｌ及び右画像表示部１７Ｒの夫々が、極めて小型な画像表示液晶パネルを備えたものとされる場合、斯かる際における画像表示液晶パネルは、例えば、表示画素数を水平方向：４７３画素，垂直方向：２１８画素とする、０．７インチ型のものとされる。また、支持部材１３，画像表示部１４及び連結機構１５Ｌ及び１５Ｒを含む全体の重量は、例えば、２５０ｇ（グラム）程度とされる。
【００４１】
【発明の効果】
以上の説明から明らかな如く、本発明に係る頭部搭載型画像表示装置は、それを使用する使用者にとって、画像表示部が連結された支持部材を頭部に装着した状態のもとで、頭部から支持部材を外すことなく、画像表示部を、光学系が使用者の眼前に配置されることになる第１の位置から、全体的に上方に回動変位させて眼前から除去されることになる第２の位置へと移動させることにより、容易に外部を見ることができることになるものとされる。
【００４２】
また、本発明に係る頭部搭載型画像表示装置にあっては、係止部材とそれに連結された操作部材とを含んで構成され、連結機構に付勢手段を伴って設けられて、連結機構に対して付勢手段の付勢力に沿う方向及び付勢力に抗する方向への移動が可能とされる回動規制手段が備えられ、それにより、第１の位置をとるものとされた画像表示部が、付勢手段の付勢力によってそれに係合する回動規制手段の係止部材によって回動変位が規制されて、第１の位置を確実に維持するものとされ、さらに、画像表示部の第１の位置から第２の位置への回動変位が、回動規制手段の操作部材についての付勢手段の付勢力に抗する方向への押圧操作がなされて、係止部材の画像表示部との係合が解除されることにより得られるので、画像表示部が連結された支持部材が使用者の頭部に装着されるにあたり、身体的条件を様々とする多数の使用者の各々に対して、別段の負担をかけることなく、各使用者の頭部に適正に搭載された状態がとられ、しかも、その状態が長時間に亙って維持され得るものとなる。
【図面の簡単な説明】
【図１】本発明に係る頭部搭載型画像表示装置の一例を示す斜視図である。
【図２】図１に示される例における画像表示部と連結機構との連結状態をあらわす部分斜視図である。
【図３】図１に示される例におけるベルト状部材に設けられた相互係合機構の説明に供される部分斜視図である。
【図４】図１に示される例における画像表示部の回動変位状態の説明に供される部分斜視図である。
【符号の簡単な説明】
１１    ベルト状部材
１２    補助ベルト状部材
１３    支持部材
１４    画像表示部
１４Ｈ    透孔
１５Ｌ，１５Ｒ    連結機構
１６    画像再生手段
１７Ｌ    左画像表示部
１７Ｒ    右画像表示部
１８Ｌ    左レンズ手段
１８Ｒ    右レンズ手段
１９    光学系
２０Ｌ，２０Ｒ，２２Ｌ，２２Ｒ    取付部材
２１Ｌ，２１Ｒ    支持アーム部材
２３    回動規制手段
２４    係止部材
２５    操作部材
２６    コイルばね部材
２７    相互係合機構
２７Ｌ    被係合部材
２７Ｒ    可動係合部材
２８    伸縮部材
２９Ｌ，２９Ｒ    トグルばね部材
【図１】
0003789517.tif 000002
【図２】
0003789517.tif 000003
【図３】
0003789517.tif 000004
【図４】
0003789517.tif 000005